(57)【要約】【課題】  移動体を駆動するときの摩擦抵抗を低減し得る指針式計器の提供。【解決手段】  指標部２２が形成された文字板２と、文字板２の背後に配設された駆動手段３と、駆動手段３の動作に伴って文字板２上を移動する指針４とを備えた指針式計器１において、駆動手段３の出力軸３１に設けた駆動歯車３２と、駆動歯車３２の回動に伴って駆動される移動体であるベルト５と、ベルト５を保持する複数の歯車６と、歯車６を配設する固定部材７と、ベルト５に一定の張力を付与する張力付与部１０と、指針４の軌道を案内するガイド部７１と、指針４を備えるとともにベルト５に連結されガイド部７１に沿って移動される連結移動部材８とを設けたものである。【選択図】  図４
2010276457.tif 000002
【特許請求の範囲】
【請求項１】
指標部が形成された文字板と、前記文字板の背後に配設された駆動手段と、前記駆動手段の動作に伴って前記文字板上を移動する指針とを備えた指針式計器において、前記駆動手段の出力軸に設けた駆動歯車と、前記駆動歯車の回動に伴って駆動されるベルトと、前記ベルトを保持する複数の車と、前記車を配設する固定部材と、前記ベルトに一定の張力を付与する張力付与部と、前記指針の軌道を案内するガイド部と、前記指針を備えるとともに前記ベルトに連結され前記ガイド部に沿って移動される連結移動部材とを設けたことを特徴とする指針式計器。
【請求項２】
前記固定部材を二つ設け、この二つの固定部材間に前記ベルトを配設したことを特徴とする請求項１に記載の指針式計器。
【請求項３】
前記連結移動部材は、前記指針を前記ガイド部に沿って移動する基礎部と、前記基礎部を前記ベルトの回動とともに回転機構とを備えたことを特徴とする請求項１に記載の指針式計器。
【請求項４】
前記回転機構は、歯車からなり、前記ガイド部材に前記歯車と噛み合う歯を設けたことを特徴とする請求項３に記載の指針式計器。
【発明の詳細な説明】
【技術分野】
【０００１】
本発明は、例えば、自動車を代表とする車両などに搭載される指針式計器に関し、特に文字板の中央領域に液晶表示器などの表示器を設けた指針式計器に関する。
【背景技術】
【０００２】
この種の指針式計器として、例えば、特許文献１に記載されているものが知られている。この指針式計器は、帯状で柔軟な移動体に指針を固定し、この指針付き移動体を駆動装置を通じて移動させることにより、表示器の外周で指針式表示を行う構成であり、前記移動体はガイド体に沿って案内される。
【先行技術文献】
【特許文献】
【０００３】
【特許文献１】欧州特許第０８９５５７９号明細書
【発明の概要】
【発明が解決しようとする課題】
【０００４】
しかしながら、特許文献１に記載の指針式計器では、前記移動体をガイド体に沿わせて移動させる構成であるため、前記移動体と前記ガイド体との間に生じる摩擦抵抗が大きく、これにより駆動装置に大きな駆動トルクが必要となり、駆動装置の大型化や消費電流の増加といった問題が生じやすい。
【０００５】
そこで本発明は、前述の課題に対して対処するため、移動体を駆動するときの摩擦抵抗を低減し得る指針式計器の提供を目的とするものである。
【課題を解決するための手段】
【０００６】
本発明は、指標部が形成された文字板と、前記文字板の背後に配設された駆動手段と、前記駆動手段の動作に伴って前記文字板上を移動する指針とを備えた指針式計器において、前記駆動手段の出力軸に設けた駆動歯車と、前記駆動歯車の回動に伴って駆動されるベルトと、前記ベルトを保持する複数の車と、前記車を配設する固定部材と、前記ベルトに一定の張力を付与する張力付与部と、前記指針の軌道を案内するガイド部と、前記指針を備えるとともに前記ベルトに連結され前記ガイド部に沿って移動される連結移動部材とを設けたものである。
【０００７】
本発明は、前記固定部材を二つ設け、この二つの固定部材間に前記ベルトを配設したものである。
【０００８】
本発明は、前記連結移動部材は、前記指針を前記ガイド部に沿って移動する基礎部と、前記基礎部を前記ベルトの回動とともに回転機構とを備えたものである。
【０００９】
本発明は、前記回転機構は、歯車からなり、前記ガイド部材に前記歯車と噛み合う歯を設けたものである。
【発明の効果】
【００１０】
本発明によれば、所期の目的を達成でき、移動体を駆動するときの摩擦抵抗を低減し得る指針式計器の提供できる。
【図面の簡単な説明】
【００１１】
【図１】図１は、本発明の第１実施形態の指針式計器の正面図。
【図２】図２は、同実施形態の指針駆動機構の正面図。
【図３】図３は、図１中のＡ−Ａ線の断面図。
【図４】図４は、図３中のＢ−Ｂ線の断面図。
【図５】図５は、本発明の第２実施形態の指針駆動機構の正面図。
【図６】図６は、図５中のＣ−Ｃ線の断面図。
【図７】図７は、図６中のＤ−Ｄ線の断面図。
【発明を実施するための形態】
【００１２】
以下、図面に基づいて本発明の第１実施形態の指針式計器を説明する。
【００１３】
本実施形態による指針式計器１は、文字板２と、駆動手段３と、指針４と、駆動手段３で回転駆動されるベルト５と、ベルト５を保持する複数の車６と、車６が配設される固定部材７と、指針４を備えるとともにベルト５に連結される連結移動部材８と、表示器９とを備えたものである。そして、駆動手段３と、ベルト５と、車６と、固定部材７および連結移動部材８で、指針駆動機構を構成している。
【００１４】
文字板２は、光透過性の合成樹脂製の平板で、本実施形態では、半円形状である。文字板２は、四角形の貫通孔からなり表示器９の表示面を視認可能とする透視部２１と、この透視部２１の周囲を取り巻くように指針４の移動経路に沿って円弧状に配列された文字や目盛等の指標部２２とを有している。指標部２２は、合成樹脂からなる基材上にスクリーン印刷等の手段により形成されている。なお、透視部２１は、表示器９の表示面を視認できれば、貫通部ではなく透明部であってもよい。
【００１５】
駆動手段３は、例えばステッピングモータからなり、文字板２の背後に設けられている。この出力軸３１には、駆動歯車３２が装着されている。この駆動歯車３２は、合成樹脂や金属で形成されている。この駆動歯車３２が、ベルト５と噛み合っており、駆動手段３は、出力軸３１の回転により駆動歯車３２を回転させ、ベルト５を移動させることができる。
【００１６】
指針４は、合成樹脂からなり、連結移動部材８に溶着等の手段で固定され、文字板２の板面に沿って透視部２１側に向けて延びている。
【００１７】
ベルト５は、本発明の移動体であり、ガラス繊維で補強された弾性材料からなり、柔軟性は有するが、前記ガラス繊維によって伸縮性は抑えられている。また、ベルト５の内側に歯列５１を備えており、駆動歯車３２と噛み合っている。
【００１８】
車６は、本実施形態では、歯を備えた歯車であり、固定部材７に設けた軸６１に回転可能に支持されている。車６の歯は、ベルト５の歯列５１と噛み合っており、車６は、ベルト５の動きに伴い回転する。車６は、複数設けられており、複数の車６によって、ベルト５を指標部２２に沿って引き回されて保持するものである。なお、本実施形態では、駆動歯車３２もベルト５を指標部２２に沿って引き回して保持する機能を果たしている。なお、車６は、本実施形態では、歯車であったが、本実施形態に限定されるものではなく、滑車であってもよい。
【００１９】
固定部材７は、金属などの板状部材であり、車６を回転可能に支持する軸６１を備えている。固定部材７の形状は、半円形状をしている。なお、本実施形態では、固定部材７は、二つ設けられており、この二つの固定部材７間にベルト５が配設されている。ベルト５を、二つの固定部材７の間に設けることによって、ベルト５が車６から外れる方向の動きを規制することができる。
【００２０】
また、固定部材７には、ベルト５に一定の張力を付与する張力付与部１０が、設けられている。
【００２１】
また、固定部材７は、ガイド部７１を一体に備えている。このガイド部７１は、連結移動部材８の移動、すなわち指針４の軌道を案内するものである。なお、本実施形態では、このガイド部７１には、複数の歯７２が設けられている。
【００２２】
連結移動部材８は、基礎部８１と回転機構８２とを備えたものである。基礎部８１は、合成樹脂からなり、指針４を備えるとともにベルト５に固定されている。回転機構８２は、本実施形態では、歯車であり、基礎部８１に回転可能に支持されている。ベルト５の内側に固定された連結移動部材８は、ガイド部７１に押しつけられており、歯車８２は、ガイド部７１の歯７２に噛み合っており、連結移動部材８の移動に伴い、歯車８２が回転するものである。
【００２３】
表示器９は、例えばＴＦＴ（薄膜トランジスタ）型の液晶表示素子または有機電界発光素子からなる表示パネルを枠体内に組み込んでなり、表示パネルの表示面が観察者に臨むように設けられている。なお、表示器９の表示面に表示される表示情報は任意であるが、一例として例えば走行距離情報、ナビゲーション情報、シフトポジション情報、外気温情報の他、各種映像情報が挙げられる。
【００２４】
以上の構成によって、ベルト５を移動させることにより、指針４を指標部２２に沿って移動させ、指針４による指標部２２の指示を可能としている。
【００２５】
以上、本実施形態によれば、移動体であるベルト５が、回転可能な車６に架設されていることによって、ベルト５を駆動するときの摩擦抵抗を低減し、摩擦抵抗による各種問題を解消または軽減し得る指針式計器の提供できる。
【００２６】
また、連結移動部材８が、ガイド部７１に沿って移動する時に、ガイド部７１に設けた歯７２上を歯車８２が噛み合いつつ回転移動することによって、摩擦抵抗を低減し、摩擦抵抗による各種問題を解消または軽減し得る指針式計器の提供できる。
【００２７】
次に、本発明の第２実施形態を説明する。本実施形態は、連結移動部材１８が、第１実施形態と異なっている。なお、第１実施形態と同一および相当箇所には同一符号を付してその詳細は説明は、省略する。
【００２８】
本実施形態の連結移動部材１８は、基礎部８３と第１回転機構８４と第２回転機構８５とを備えたものである。
【００２９】
基礎部８３は、合成樹脂からなり、指針４を備えるとともに、第１回転機構８４と第２回転機構８５とを回転可能に支持する第１軸８６、第２軸８７を備えている。
【００３０】
第１回転機構８４は、本実施形態では、歯車である。歯車８４は、２つの固定部材７の内、文字板２側の固定部材７のガイド部７１の歯７２にのみ噛み合っており、ベルト５の内側に位置する連結移動部材１８は、ガイド部７１に押しつけられており、連結移動部材１８の移動に伴い、歯車８４が回転するものである。
【００３１】
第２回転機構８５は、本実施形態では、歯車である。歯車８５は、２つの固定部材７のガイド部７１の歯７２に噛み合うとともに、ベルト５の歯列５１とも噛み合っている。連結移動部材１８は、歯車８５がベルト５と噛み合うことで、ベルト５に連結されている。ベルト５の内側に位置する連結移動部材１８は、ガイド部７１に押しつけられており、ベルト５の駆動に伴い、歯車８５が回転し、連結移動部材１８がガイド部７１に沿って移動するものである。
【００３２】
このように構成された本実施形態によっても、第１の実施形態と同様の作用効果を得ることができる。
【産業上の利用可能性】
【００３３】
本発明は、文字板の中央領域に、表示器を設けた指針式計器に利用可能である。
【符号の説明】
【００３４】
１      指針式計器
２      文字板
３      駆動手段
４      指針
５      ベルト
６      車（歯車）
７      固定部材
８、１８  連結移動部材
１０      張力付与部
３１      出力軸
３２      駆動歯車
７１      ガイド部
７２      歯
８１、８３  基礎部
８２      回転機構（歯車）
【図１】
2010276457.tif 000003
【図２】
2010276457.tif 000004
【図３】
2010276457.tif 000005
【図４】
2010276457.tif 000006
【図５】
2010276457.tif 000007
【図６】
2010276457.tif 000008
【図７】
2010276457.tif 000009